【手続補正書】
【提出日】平成24年9月25日(2012.9.25)
【手続補正１】
【補正対象書類名】明細書
【補正対象項目名】００１６
【補正方法】変更
【補正の内容】
【００１６】
本発明は、第１の観点からすると、機器間の情報通信を光伝送媒体を介して行う際に、前記光伝送媒体と機器との間に設けられるアダプタであって、前記光伝送媒体と接続される少なくとも１つのソケットと；前記少なくとも１つのソケットが実装され、機器に接続されるコネクタを有し、該コネクタと前記少なくとも１つのソケットとを電気的に接続する配線パターンが設けられているボードと；前記配線パターンの途中に設けられ、前記配線パターンのクロックドメインを、クロックがスペクトラム拡散クロックである第１のクロックドメインと、クロックが非スペクトラム拡散クロックである第２のクロックドメインとに分割する素子と；を備え、前記第１のクロックドメインは、前記素子と前記コネクタとの間に位置する配線パターンのクロックドメインであり、前記第２のクロックドメインは、前記素子と前記少なくとも1つのソケットとの間に位置する配線パターンのクロックドメインであるアダプタである。
【手続補正２】
【補正対象書類名】明細書
【補正対象項目名】００２０
【補正方法】変更
【補正の内容】
【００２０】
本発明は、第３の観点からすると、第１の情報機器と第２の情報機器が光伝送媒体を介して接続されている情報システムであって、前記第１の情報機器として、外部機器に対する情報の送信及び受信のうち少なくとも送信を行うことができる本発明の情報機器と；前記第２の情報機器として、外部機器に対する情報の送信及び受信のうち少なくとも受信を行うことができる本発明の情報機器と；前記第１の情報機器のアダプタが有する少なくとも１つのソケットに一端が接続され、前記第２の情報機器のアダプタが有する少なくとも１つのソケットに他端が接続されている光伝送媒体と；を備える情報システムである。
【手続補正３】
【補正対象書類名】明細書
【補正対象項目名】００２２
【補正方法】変更
【補正の内容】
【００２２】
本発明は、第４の観点からすると、機器間の情報通信を光伝送媒体を介して行う通信方法であって、前記光伝送媒体と機器との間に、クロックがスペクトラム拡散クロックである第１のクロックドメインと、クロックが非スペクトラム拡散クロックである第２のクロックドメインとを有するアダプタを設け、前記第１のクロックドメインは、前記アダプタが有する素子と前記機器に接続され前記アダプタが有するコネクタとの間に位置する配線パターンのクロックドメインであり、前記第２のクロックドメインは、前記素子と前記光伝送媒体に接続され前記アダプタが有する少なくとも１つのソケットとの間に位置する配線パターンのクロックドメインであることを特徴とする通信方法である。
【手続補正４】
【補正対象書類名】特許請求の範囲
【補正対象項目名】全文
【補正方法】変更
【補正の内容】
【特許請求の範囲】
【請求項１】
機器間の情報通信を光伝送媒体を介して行う際に、前記光伝送媒体と機器との間に設けられるアダプタであって、
前記光伝送媒体と接続される少なくとも１つのソケットと；
前記少なくとも１つのソケットが実装され、機器に接続されるコネクタを有し、該コネクタと前記少なくとも１つのソケットとを電気的に接続する配線パターンが設けられているボードと；
前記配線パターンの途中に設けられ、前記配線パターンのクロックドメインを、クロックがスペクトラム拡散クロックである第１のクロックドメインと、クロックが非スペクトラム拡散クロックである第２のクロックドメインとに分割する素子と；を備え、
前記第１のクロックドメインは、前記素子と前記コネクタとの間に位置する配線パターンのクロックドメインであり、前記第２のクロックドメインは、前記素子と前記少なくとも1つのソケットとの間に位置する配線パターンのクロックドメインであるアダプタ。
【請求項２】
前記第１のクロックドメインのクロック周波数と、前記第２のクロックドメインのクロック周波数とは互いに異なることを特徴とする請求項１に記載のアダプタ。
【請求項３】
前記情報通信は、ＰＣＩ  Ｅｘｐｒｅｓｓの規格に準拠した情報通信であり、
前記素子は、ノントランスペアレントタイプのブリッジ機能を有することを特徴とする請求項１又は２に記載のアダプタ。
【請求項４】
前記情報通信は、ＰＣＩ  Ｅｘｐｒｅｓｓの規格に準拠した情報通信であり、
前記ボードに実装され、サイドバンド信号を出力する端子を有するケーブルソケットを更に備え、
前記複数の配線パターンは、前記コネクタにおけるサイドバンド信号用の端子と前記ケーブルソケットにおけるサイドバンド信号を出力する端子とを電気的に接続する配線パターンを更に含むことを特徴とする請求項１〜３のいずれか一項に記載のアダプタ。
【請求項５】
前記ケーブルソケットは、ハイレベル信号用の端子を更に有することを特徴とする請求項４に記載のアダプタ。
【請求項６】
前記ケーブルソケットは、前記ボード上で互いに電気的に接続されている２つの端子を更に有することを特徴とする請求項４又は５に記載のアダプタ。
【請求項７】
前記ボードは、外形が矩形状の板状部材であり、
前記コネクタ及び前記少なくとも１つのソケットは、互いに隣接する辺近傍にそれぞれ配置されていることを特徴とする請求項１〜６のいずれか一項に記載のアダプタ。
【請求項８】
前記コネクタは、カードエッジコネクタであることを特徴とする請求項１〜７のいずれか一項に記載のアダプタ。
【請求項９】
前記少なくとも１つのソケットは、ＳＦＰ規格、ＳＦＰ＋規格、ＱＳＦＰ規格、ＱＳＦＰ＋規格、及びＸＦＰ規格のいずれかに対応していることを特徴とする請求項１〜８のいずれか一項に記載のアダプタ。
【請求項１０】
前記ボードは、冷却用ファンを取付可能な電源用端子を更に有することを特徴とする請求項１〜９のいずれか一項に記載のアダプタ。
【請求項１１】
外部機器に対する情報の送信及び受信の少なくとも一方を行うことができる情報機器であって、
少なくとも１つのソケットが搭載されている基板と；
前記少なくとも１つのソケットに挿入された少なくとも１つの請求項１〜１０のいずれか一項に記載のアダプタと；を備える情報機器。
【請求項１２】
第１の情報機器と第２の情報機器が光伝送媒体を介して接続されている情報システムであって、
前記第１の情報機器として、外部機器に対する情報の送信及び受信のうち少なくとも送信を行うことができる請求項１１に記載の情報機器と；
前記第２の情報機器として、外部機器に対する情報の送信及び受信のうち少なくとも受信を行うことができる請求項１１に記載の情報機器と；
前記第１の情報機器のアダプタが有する少なくとも１つのソケットに一端が接続され、前記第２の情報機器のアダプタが有する少なくとも１つのソケットに他端が接続されている光伝送媒体と；を備える情報システム。
【請求項１３】
機器間の情報通信を光伝送媒体を介して行う通信方法であって、
前記光伝送媒体と機器との間に、クロックがスペクトラム拡散クロックである第１のクロックドメインと、クロックが非スペクトラム拡散クロックである第２のクロックドメインとを有するアダプタを設け、前記第１のクロックドメインは、前記アダプタが有する素子と前記機器に接続され前記アダプタが有するコネクタとの間に位置する配線パターンのクロックドメインであり、前記第２のクロックドメインは、前記素子と前記光伝送媒体に接続され前記アダプタが有する少なくとも１つのソケットとの間に位置する配線パターンのクロックドメインであることを特徴とする通信方法。
【請求項１４】
前記情報通信は、ＰＣＩ  Ｅｘｐｒｅｓｓの規格に準拠した情報通信であることを特徴とする請求項１３に記載の通信方法。